(57)【要約】【課題】固形物自動仕込み、吐き出し分離機の提供。【解決手段】固形物自動仕込み、吐き出し分離機であり、特に固形物と液体を分離させ、固形物を自動に収集する構造に関わる。モーターにより伝動軸を伝動し、遠心ドラムと円錐盤と同時に回転させ、対象物に含まれた液体を回転による遠心力により遠心ドラムを投げ出して、固形物だけを遠心ドラムの受け皿くちばし部に残しておく、ふたたび、回転接続台の伝動シリンダーボディに連結する二つのピストンを内側に引き込むことにより、回転接続台と受け皿を同時に下方へ移動し、固形物を吐き出し経路に下降さした上、遠心ドラムと受け皿の回転による遠心力で固形物を吐き出し経路より架台に落として収集する、一貫作業の目的を実現する。【選択図】図３
0003118706.tif 000002
【実用新案登録請求の範囲】
【請求項１】
架台を設け、該架台中段に中段支持台を設け、下段に下段支持台を設け、さらに、その上段にじょうごを設け、じょうごのすそ部に外部スリーブを設け、外部スリーブに遠心ドラムを設け、遠心ドラムの軸心位置に遠心ドラム台を設け、遠心ドラム台に遠心軸スリーブを設け、伝動軸は架台の下段支持台、中段支持台および遠心軸スリーブを通して、上段支持台に回転軸接続し、モーターにより遠心ドラムを回転することにより、収納された固形物と液体を分離した後、液体を外部スリーブに設ける出水路より架台外部に排出する固形物自動仕込み、吐き出し分離機において、
その特徴は、遠心ドラムに円錐盤を設け、円錐盤にスリーブを設け、スリーブと遠心軸スリーブと向かい合わせて、円錐盤のすそ部はさらに中段支持台に設ける受け皿を設け、受け皿底部に複数の出水孔とその架台を通した吐き出し経路を設ける、さらに、中段支持台のすそ部に回転軸接続台を設け、回転接続台に磁気部と水室をそれぞれに設け、磁気部は磁気浮き力を生成し軸スリーブを押して浮き上がる、さらに伝動軸は遠心軸スリーブと軸スリーブ区間は多辺形を設け、その底部は下段支持台を通す、さらに、伝動軸が下段支持台を通す場所に伝動輪を設け、伝動輪とモーターは伝動ベルトによって連結し、回転接続台はさらに二つの伝動シリンダーボディに接続し、二つの伝動シリンダーボディの上下移動により、回転接続台と円錐盤を同時に移動させ、モーターと二つのシリンダーボディは架台底部に設けた台に取り付けておく、
モーターにより伝動軸を伝動し、遠心ドラムと円錐盤を同時に回転させることにより、遠心力を形成して、液体を遠心ドラム孔と出水孔に投げ出して、固形物と液体を分離し、昇降装置により、円錐盤を降下させた後、円錐盤をふたたび回転させ、固形物はその回転による遠心力でもって、遠心ドラムより投げ出して、固形物と液体を分離することを実現することを特徴とする、固形物自動仕込み、吐き出し分離機。
【請求項２】
前記伝動軸と下段支持台との接続場所に、軸受け台を設け、軸受け台に二つの軸受けと一つのオイルシールを設けることを特徴とする、請求項１記載の固形物自動仕込み、吐き出し分離機。
【請求項３】
前記伝動軸は遠心軸スリーブおよびスリーブを通す区間が矩形または六角形であることを特徴とする、請求項１記載の固形物自動仕込み、吐き出し分離機。
【請求項４】
前記外部スリーブにさらに出水路を設けることを特徴とする、請求項１記載の固形物自動仕込み、吐き出し分離機。
【考案の詳細な説明】
【技術分野】
【０００１】
本考案は固形物自動仕込み、吐き出し分離機であり、特に高速回転で形成する遠心力により、液体と固形物を分離させ、液体より分離された固形物を自動に落として、集める固形物自動仕込み、吐き出し分離機に関わるものである。
【背景技術】
【０００２】
現在、日常生活は冷たいもの、油脂を含まれたもの、または顆粒を含まれたジュースなど、多くの品物と製品は液体と固形物を混合した形式で提供されている。しかし、それらの液体と固形物を完全に分離した上、固形物を自動に落として集めることについて、良く使われている方法は、篩でもって液体と固形物を分離している。
【０００３】
しかし、この種の分離方法は液体と固形物を十分に分離することができなく、分離した後は、固形物を備えつけの容器に集めなければならない。このような作業方式は、時間を浪費するほか、一回に処理可能な量も限られる。よって、この種の作業方法を改良し、固形物と液体の分離効果と効率を向上する必要がある。
【０００４】
本考案者は長年以来、分離機械とその関連製品の製造に従事し、分離機械の製造方法と長短所を熟知している。よって、その欠点を改良し、固形物自動仕込み、吐き出し分離機のより実用化を図るため、数年の研究努力および試作を繰り返した結果、本考案の固形物自動仕込み、吐き出し分離機を開発した。
【考案の開示】
【考案が解決しようとする課題】
【０００５】
本考案の主な目的は、前記の問題点を解決するため、モーターにより伝動軸を伝動し、遠心ドラムと円錐盤を同時に回転することにより、対象物に含まれる液体は回転軸の回転に発生する遠心力で、遠心ドラム外部に投げ出して、受け皿の端縁に残して、回転接続台に接続した伝動シリンダーボディのピストンを内側に引き込んで、回転接続台と受け皿を同時に下方へ移動した上、遠心ドラムと受け皿を回転することにより、固形物を吐き出し経路より、架台外部に落として集める、一元化の一貫作業目的を実現できる一種の固形物自動仕込み、吐き出し分離機を提供する。
【０００６】
本考案の次の目的は、遠心ドラムと受け皿の高速回転による遠心力で、対象物に含まれた液体を遠心ドラム外部に投げ出す一種の固形物自動仕込み、吐き出し分離機を提供する。
【０００７】
本考案のさらに一つの目的は、円錐盤のスリーブは磁気部で発生する磁気浮き力により押し込んで、その回転接続台に浮き上がる。よって、伝動軸は高速回転するとき、スリーブと磁気部に隙間を形成するため、スリーブと磁気部に磨耗と高温の恐れがなく、一種の固形物自動仕込み、吐き出し分離機を提供する。
【０００８】
本考案もう一つの目的は、円錐盤軸心の位置をやや隆起する形態を設け、材料はじょうごから遠心ドラムに入れた後、固形物は円錐盤軸心のやや隆起する形態は、固形物を円錐盤の外縁に転がって堆積する。このため、モーターの回転により、固形物は回転による遠心力で、遠心ドラム表面への衝撃力量を和らげる一種の固形物自動仕込み、吐き出し分離機を提供する。
【課題を解決するための手段】
【０００９】
請求項１の考案は、架台を設け、該架台中段に中段支持台を設け、下段に下段支持台を設け、さらに、その上段にじょうごを設け、じょうごのすそ部に外部スリーブを設け、外部スリーブに遠心ドラムを設け、遠心ドラムの軸心位置に遠心ドラム台を設け、遠心ドラム台に遠心軸スリーブを設け、伝動軸は架台の下段支持台、中段支持台および遠心軸スリーブを通して、上段支持台に回転軸接続し、モーターにより遠心ドラムを回転することにより、収納された固形物と液体を分離した後、液体を外部スリーブに設ける出水路より架台外部に排出する固形物自動仕込み、吐き出し分離機において、
その特徴は、遠心ドラムに円錐盤を設け、円錐盤にスリーブを設け、スリーブと遠心軸スリーブと向かい合わせて、円錐盤のすそ部はさらに中段支持台に設ける受け皿を設け、受け皿底部に複数の出水孔とその架台を通した吐き出し経路を設ける、さらに、中段支持台のすそ部に回転軸接続台を設け、回転接続台に磁気部と水室をそれぞれに設け、磁気部は磁気浮き力を生成し軸スリーブを押して浮き上がる、さらに伝動軸は遠心軸スリーブと軸スリーブ区間は多辺形を設け、その底部は下段支持台を通す、さらに、伝動軸が下段支持台を通す場所に伝動輪を設け、伝動輪とモーターは伝動ベルトによって連結し、回転接続台はさらに二つの伝動シリンダーボディに接続し、二つの伝動シリンダーボディの上下移動により、回転接続台と円錐盤を同時に移動させ、モーターと二つのシリンダーボディは架台底部に設けた台に取り付けておく、
モーターにより伝動軸を伝動し、遠心ドラムと円錐盤を同時に回転させることにより、遠心力を形成して、液体を遠心ドラム孔と出水孔に投げ出して、固形物と液体を分離し、昇降装置により、円錐盤を降下させた後、円錐盤をふたたび回転させ、固形物はその回転による遠心力でもって、遠心ドラムより投げ出して、固形物と液体を分離することを実現することを特徴とする、固形物自動仕込み、吐き出し分離機としている。
請求項２の考案は、前記伝動軸と下段支持台との接続場所に、軸受け台を設け、軸受け台に二つの軸受けと一つのオイルシールを設けることを特徴とする、請求項１記載の固形物自動仕込み、吐き出し分離機としている。
請求項３の考案は、前記伝動軸は遠心軸スリーブおよびスリーブを通す区間が矩形または六角形であることを特徴とする、請求項１記載の固形物自動仕込み、吐き出し分離機としている。
請求項４の考案は、前記外部スリーブにさらに出水路を設けることを特徴とする、請求項１記載の固形物自動仕込み、吐き出し分離機としている。
【考案の効果】
【００１０】
本考案は、モーターにより伝動軸を伝動し、遠心ドラムと円錐盤を同時に回転することにより、対象物に含まれる液体は回転軸の回転に発生する遠心力で、遠心ドラム外部に投げ出して、受け皿の端縁に残して、回転接続台に接続した伝動シリンダーボディのピストンを内側に引き込んで、回転接続台と受け皿を同時に下方へ移動した上、遠心ドラムと受け皿を回転することにより、固形物を吐き出し経路より、架台外部に落として集める、一元化の一貫作業目的を実現できる一種の固形物自動仕込み、吐き出し分離機を提供する。
【考案を実施するための最良の形態】
【００１１】
本考案の固形物自動仕込み、吐き出し分離機の構造設計および技術をさらなるの理解を図るため、図１から図６と合わせて、以下のとおり詳細説明する。
【００１２】
図１〜図３に示すものは、固形物自動仕込み、吐き出し分離機に、架台１０を設け、架台１０の天面に上段支持台１１、中段に中段支持台１２、下段に下段支持台１３をそれぞれに設ける。上段支持台１１の上部端縁はあらたにじょうご１４を設け、じょうご１４のすそ部に外部スリーブ１５を設け、外部スリーブ１５はさらに二つの遠心ドラム２０を内部に設け、遠心ドラム２０の表面に複数の遠心ドラム孔を設ける。かつ、遠心ドラム２０の軸心場所に遠心ドラム架台２２を設ける。遠心ドラム架台２２に遠心スリーブ２３を固定して設ける。かつ、伝動軸３０は架台１０下部の下段支持台１３を通して設ける。中段支持台１２と遠心スリーブ２３は上段支持台１３と回転接続し、蓋体１６でかぶせておく、さらに、モーター４０により、遠心ドラム２１を伝動し回転により、固形物と液体を分離した上、液体をスリーブ１５に設ける出水路１５１より架台１０に排出する。
【００１３】
図１および図２に示すとおり、この実施例において、液体から分離した固形物は、本考案の固形物自動仕込み、吐き出し分離機によって集められる。詳細構造は、遠心ドラム２０はさらに、円錐盤２４を設け、この円錐盤２４にスリーブ２４１を設ける。スリーブ２４１は遠心スリーブ２３と向かい合う。かつ、円錐盤２４のすそ部に中段支持台の受け皿２５を設け、受け皿２５の底面に複数の出水孔２５１とその架台１０を貫通した吐き出し経路２５２を設ける。それに加えて、円錐盤２４の表面に材料攪拌リング２４２を設ける。よって、円錐盤２４と遠心ドラム２１が同時に回転するとき、材料攪拌リング２４２により、固形物を掻き分けて、液体と固形物を分離した後、液体を出水路１５１にまとめて排出する。
【００１４】
さらに、中段支持台１２のすそ部に回転接続台５０を設け、この回転接続台５０は磁気部５１と水室５２を設ける。磁気部５１は磁気浮き力を形成し、スリーブ２４１を押し上げて回転接続台５０に浮き上がる。伝動軸３０は遠心スリーブ２３とスリーブ２４１を通過する区間は矩形または六角形を形成する。本実施例において、六角形を形成する。さらに、伝動軸３０の底部は下段支持台１３を通し、この下段支持台１３伝動軸３０との接続場所に軸受台１７を設け、この軸受台１７に二つの軸受１７１と一つのオイルシール１７２を設ける。さらに、伝動軸３０が下段支持台１３を通すところに、伝動輪３１を設け、この伝動輪３１とモーター４０は伝動ベルト３２によって接続し、伝動軸３１はモーター４０によって伝動される。
【００１５】
図６に示すとおり、回転接続台５０はさらに、二つの伝動シリンダーボディ５３と二つの昇降補助棒５４を設け、この二つの昇降補助棒５４は中段支持台１２の盤体５５に連結し固定する。二つの伝動シリンダーボディ５３上のピストン５３１の上下移動により、回転接続台５０と円錐盤２４を同時に上下に移動させる。さらに、モーター４０と二つの伝動シリンダーボディ５３は架台１０底部に設ける台１８に固定する。
【００１６】
図４に示すとおり、本考案の固形物自動仕込み、吐き出し分離機を使用し、固形物と液体を分離するとき、固形物と液体を含まれた対象物（冷たいもの、油脂を含まれたもの、または顆粒を含まれたジュースなど）はじょうご１４より、遠心ドラム２０に入れて、モーター４０が伝動軸３０を伝動し回転させる。伝動軸３１は遠心スリーブ２３とスリーブ２４１を通過する区間は多辺形状であるため、遠心スリーブ２３とスリーブ２４１に対応したさん孔設計により、遠心ドラム２０と円錐盤２４は伝動軸３１と同時に回転し、高速回転による遠心力をもって、対象物に含まれた液体は遠心ドラム孔２１と出水孔２５１より、遠心ドラム２０と受け皿２５に投げ出して、外部スリーブ１５の出水路１５１にまとめて、架台外部に排出する。一方、遠心ドラム２０に堆積された固形物は円錐盤２４のくちばし部に堆積される。
【００１７】
図５に示すとおり、二つの伝動シリンダーボディ５３を伝動し、ピストン５３１を下方へ引き込み、回転接続台５０と円錐盤２４も降下する。さらにモーター４０により伝動軸伝動軸３０を回転させ、遠心ドラム２０と円錐盤２４を合わせて回転し、遠心力を発生させ、円錐盤２４くちばし部に堆積した固形物を投げ出して、受け皿２５に設ける吐き出し経路２５２より架台１０外部に排出し、液体と分離した固形物を集める。
【００１８】
このほか、円錐盤２４のスリーブ２４１は磁気部５１より形成する磁気浮き力に押さえられて、回転接続台５０に浮き上がる。また、伝動軸３０が高速回転するとき、スリーブ２４１と磁気部に隙間を形成するため、スリーブ２４１と磁気部５１に磨耗と高温発生の心配がない。
【００１９】
円錐盤２４の軸心位置はやや隆起する形態に設け、材料をじょうご１４から遠心ドラム２０に入れた後、固形物は円錐盤２４のやや隆起する形態により、円錐盤２４外周面に堆積される。このため、モーター４０の伝動により回転するとき、固形物は回転の遠心力により、遠心ドラム２０に衝撃する力を和らげる。
【００２０】
前記に説明したとおり、本考案の固形物自動仕込み、吐き出し分離機は、モーター４０により伝動軸３０を伝動し、遠心ドラム２０と円錐盤２４と同時に回転により、液体は回転による遠心力で遠心ドラム２０より投げ出して、固形物のみを受け皿２５くちばし部に引き残した上、二つの回転接続台５０に連結したシリンダーボディ５３のピストン５３１を内側に引き込んで、回転接続台５０と受け皿２５を同時に下方へ移動した後、遠心ドラム２０と受け皿２５を再び回転させ、固形物を吐き出し経路２５２より架台１０外部に排出して、自動に収集するように、一気通関の一貫作業の目的を実現する。
【図面の簡単な説明】
【００２１】
【図１】本考案の固形物自動仕込み、吐き出し分離機の展開図(１)である。
【図２】本考案の固形物自動仕込み、吐き出し分離機の展開図(２)である。
【図３】本考案の固形物自動仕込み、吐き出し分離機の組立立面図である。
【図４】本考案の固形物自動仕込み、吐き出し分離機の遠心力による投げ出し概略図である。
【図５】本考案の固形物自動仕込み、吐き出し分離機による固形物対象物落とし収集する概略図である。
【図６】本考案の固形物自動仕込み、吐き出し分離機昇降補助棒の動作概略図である。
【符号の説明】
【００２２】
１０  架台                  １１  上段支持台
１２  中段支持台            １３  下段支持台
１４  じょうご              １５  外部スリーブ
１５１  出水路              １６  蓋部材
１７  軸受台                １７１  軸受
１７２  オイルシール        １８  台
２０  遠心ドラム            ２１  遠心ドラム孔
２２  遠心ドラム台          ２３  遠心軸スリーブ
２４  円錐盤                ２４１  スリーブ
２４２  材料撹拌リング      ２５  受け皿
２５１  出水孔              ２５２  吐き出し経路
３０  伝動軸                ３１  伝動輪
３２  伝動ベルト            ４０  モーター
５０  回転接続台            ５１  磁気部
５２  水室                  ５３  伝動シリンダーボディ
５３１  ピストン            ５４  昇降補助棒
５５  盤体
【図１】
0003118706.tif 000003
【図２】
0003118706.tif 000004
【図３】
0003118706.tif 000005
【図５】
0003118706.tif 000006
【図６】
0003118706.tif 000007
【図４】
0003118706.tif 000008